(57)【特許請求の範囲】
【請求項１】
所定の実伝送路を介して受信装置に向けてデジタル信号を送信するために、該デジタル信号を所定の変調方式で変調する送信装置であって、
実伝送路上の予め定めた複数の歪補償対象機器の入出力特性についてそれぞれ近似した入出力特性を有し、当該複数の歪補償対象機器の接続順とはそれぞれ逆の順序で縦属接続関係にある複数の疑似構成機器と、
当該複数の疑似構成機器の各々における通過後の信号点と通過前の信号点との差分をそれぞれ誤差ベクトルとして求め、当該デジタル信号の理想信号点に対し当該逆の順序で縦属接続関係にある複数の疑似構成機器の順に順次、前記誤差ベクトルの逆ベクトルを加算することにより、当該逆の順序で縦属接続関係にある複数の疑似構成機器の順にそれぞれ歪補償した信号点に変換するベクトル演算手段と、
当該複数の疑似構成機器ごとに当該逆ベクトルを加算するタイミングを調整するタイミング調整手段と、
当該歪補償した信号点のデジタル信号を直交変調する直交変調手段と、
を備えることを特徴とする送信装置。
【請求項２】
前記複数の歪補償対象機器は、当該入出力特性に関して１以上の非線形特性を示す機器と１以上のフィルタ特性を示す機器とを含むことを特徴とする、請求項１に記載の送信装置。
【請求項３】
前記複数の歪補償対象機器は、既知の入出力特性を有する中継器、電気機器、光学機器、又はこれらの組み合わせを含むことを特徴とする、請求項１又は２に記載の送信装置。
【請求項４】
前記所定の変調方式は、ＡＳＫ、ＰＳＫ、若しくはＡＰＳＫを含むことを特徴とする、請求項１から３のいずれか一項に記載の送信装置。
【発明の詳細な説明】
【技術分野】
【０００１】
本発明は、衛星放送及び地上放送並びに固定通信及び移動通信の技術分野に関するものであり、特に、デジタル信号の送信装置に関する。
【背景技術】
【０００２】
現在運用されている各種規格のデジタル放送のうち、衛星放送を例にとれば、複数の放送衛星事業者が独立したトランスポートストリーム（ＴＳ）を多重した信号を、放送衛星に備えた衛星中継器を介することにより伝送する。衛星デジタル放送で採用されている規格としては、ＩＳＤＢ−Ｓ、ＤＶＢ−Ｓ２などがある。以下、送信装置はこれらの規格に適合した一般化したものとして説明する。
【０００３】
図３は、衛星放送における衛星中継器を用いた伝送システムの構成を示すブロック図である。地球局側に設置された送信装置１から映像・音声・データ放送などを多重した放送波信号が実衛星２にアップリンクされ、実衛星２を経由した放送波信号は、各家庭の受信装置３‐１〜３‐Ｎへダウンリンクされる。実衛星２内の衛星中継器は、入力マルチプレクサ（ＩＭＵＸ）フィルタ２１、進行波管増幅器（ＴＷＴＡ）２２、出力マルチプレクサ（ＯＭＵＸ）フィルタ２３等を具備しており、当該衛星中継器で受信した放送波信号をＩＭＵＸフィルタ２１にて１チャンネル分ごとの帯域抽出を行い、ＴＷＴＡ２２において利得制御を行った後、ＯＭＵＸフィルタ２３で不要周波数成分を抑圧し、後続の合成器（図示せず）により全チャンネル分の放送波信号として合成し、受信装置３‐１〜３‐Ｎへ放送波信号を送信する。
【０００４】
図３に示す実衛星２内の衛星中継器における信号歪みについて説明する。ＩＭＵＸフィルタ２１は、衛星中継器にて受信したアップリンク信号から各チャンネルの周波数に対応した放送波信号を抽出する帯域通過フィルタであり、群遅延歪みが発生する。ＴＷＴＡ２２は、ＩＭＵＸフィルタ２１にて抽出された各チャンネルの放送波信号に対して、電力増幅を行うが、図４に示すような非線形特性となるＡＭ／ＡＭ歪み及びＡＭ／ＰＭ歪みが発生する。ＯＭＵＸフィルタ２３は、ＴＷＴＡ２２において増幅した放送波信号に対し不要な周波数成分を抑圧する帯域通過フィルタであり、群遅延歪みが発生する。
【０００５】
ＴＷＴＡ２２の電力増幅処理は、入力レベルと出力レベルの間の関係が比例関係となる線形特性であることが望ましいが、入力レベルが上がるにつれて、出力レベルの利得が小さくなり、ある入力レベルを超えると、出力レベルが低下する非線形特性を示す。この出力レベルが低下し始める直前の動作点を、一般に、飽和出力動作点（又は、出力飽和点）と云い、ＴＷＴＡ２２における電力効率が最も良くなる。
【０００６】
そのため、衛星放送においては、π／２シフトＢＰＳＫを含むＢＰＳＫやπ／４シフトＱＰＳＫを含むＱＰＳＫ、８ＰＳＫといったＰＳＫ変調を利用する場合、ＴＷＴＡ２２は飽和出力動作点で動作するよう、ＴＷＴＡ２２に前置される減衰器（図示せず）によって入力レベルが調整される。また、１６ＡＰＳＫや３２ＡＰＳＫといったＡＰＳＫ変調の場合、振幅方向の歪に影響を受けやすく、ＴＷＴＡ２２の飽和出力動作点付近では所要Ｃ／Ｎの劣化が大きくなるため、出力レベルを前置減衰器により飽和出力動作点より下げた状態（一般に、出力バックオフと称される）で運用される。
【０００７】
そこで、衛星中継器の歪補償機能を有する送信装置１を構成し、実伝送路の歪補償を行う技法が開示されている（例えば、特許文献１参照）。図５は、特許文献１に記載された、衛星中継器の歪補償機能を有する従来の送信装置１を概略的に示すブロック図である。尚、図５の送信装置１は特許文献１による送信装置が備える変調器に係る構成のみを図示している。この図５に示す送信装置１は、所定の符号化を施したデータ信号（以下、単にデジタル信号とも称する）に対して、シリアルのビット列をパラレルに変換するシリアル／パラレル変換（Ｓ／Ｐ）部１１と、所定の変調方式に応じてマッピングするマッピング部１２と、歪補償を行う歪補償部４と、直交変調を施す直交変調部１３と、を備える。
【０００８】
歪補償部４は、疑似伝送路部４１と、遅延部４２と、第１ベクトル加算部４３と、第２ベクトル加算部４４と、を備える。
【０００９】
疑似伝送路部４１は、図３に示す実衛星２内の衛星中継器内の歪補償対象機器ごとに対応して模擬した擬似構成機器を備えており、各擬似構成機器は、各歪補償対象機器の位相及び振幅の周波数特性や非線形特性を近似した入出力特性を有している。即ち、疑似伝送路部４１は、入力マルチプレクサ（ＩＭＵＸ）フィルタ４５、進行波管増幅器（ＴＷＴＡ）４６、及び出力マルチプレクサ（ＯＭＵＸ）フィルタ４７を具備しており、マッピング部１２で所定の変調方式に応じたマッピングを行って得られた信号点系列からなるデジタル信号から、ＩＭＵＸフィルタ４５によって１チャンネル分の帯域抽出を行い、ＴＷＴＡ４６により利得制御を行って、ＯＭＵＸフィルタ４７で不要周波数成分を抑圧する。これにより、疑似伝送路部４１は、送信するデジタル信号の信号点のマッピング後の理想信号点に対して、実衛星２内の衛星中継器によって生じうる信号点のずれを模擬した信号点のＩＱ信号を送出する。
【００１０】
第１ベクトル加算部４３は、疑似伝送路部４１から送出される、送信するデジタル信号の信号点のマッピング後の理想信号点に対する信号点のずれを誤差ベクトルとしてシンボルごとに生成する。
【００１１】
遅延部４２は、マッピング部１２による信号点のマッピング後の信号点を、第１ベクトル加算部４３により算出した誤差ベクトルで補償するために、タイミング調整する。従って、遅延部４２は、疑似伝送路部４１によって生じる遅延量Ｄと同一の遅延量でタイミング調整するように機能する。
【００１２】
第２ベクトル加算部４４は、マッピング部１２による信号点のマッピング後の信号点を、第１ベクトル加算部４３により算出した誤差ベクトルで補償した信号点に変換する。
【００１３】
歪補償部４において求められた信号点座標は、直交変調部１３へ入力され、直交変調部１３は、第２ベクトル加算部４４によって誤差ベクトルで補償した信号点で直交変調し、所定の変調方式による変調波信号を生成する。生成された変調波信号は、実衛星２に向けてアップリンクされる。
【００１４】
尚、所定の変調方式とは、π／２シフトＢＰＳＫを含むＢＰＳＫ、π／４シフトＱＰＳＫを含むＱＰＳＫ、８ＰＳＫ、１６ＡＰＳＫ、３２ＡＰＳＫ、あるいは更に多値のＰＳＫやＡＰＳＫなどを含み、ＱＡＭはＡＰＳＫの一種であるからＱＡＭも含まれる。マッピング部１２はこれらの変調方式に対応したマッパを用いることができる。
【００１５】
したがって、図５に示す送信装置１によれば、図６に示すように、マッピング部１２によるマッピング後の信号点（同図に示すＳ１）は理想信号点に割り当てられ、疑似伝送路部４１内のＩＭＵＸフィルタ４５、ＴＷＴＡ４６、及びＯＭＵＸフィルタ４７を通過させることで（同図に示すＳ２〜Ｓ４）、誤差ベクトルが得られる。そして、この誤差ベクトルに対し当該理想信号点を基準に点対称となる逆方向の誤差ベクトルを用いて、遅延部４２を経た理想信号点のＩＱ信号に対し第１ベクトル加算部４３、及び第２ベクトル加算部４４により歪補償を行った信号点が得られる（同図に示すＳ５）。この歪補償後の信号点座標で直交変調部１３により直交変調した変調波信号は、実衛星２内の衛星中継器におけるＩＭＵＸフィルタ２１、ＴＷＴＡ２２、及びＯＭＵＸフィルタ２３を通過すると（同図に示すＳ６〜Ｓ８）、当該理想信号点に近づけることができる。このように、歪補償部４を経て、直交変調部１３により生成された変調波信号は、実衛星２で加わる歪みベクトルの逆ベクトルを理想信号点に予め加算してから変調されているため、実衛星２で歪みベクトルが加わると、この逆ベクトルと相殺され、受信される信号点は理想信号点と近い信号点となる。
【先行技術文献】
【特許文献】
【００１６】
【特許文献１】特開２０１０−１３６２５４号公報
【発明の概要】
【発明が解決しようとする課題】
【００１７】
従来の特許文献１による送信装置における歪補償では、疑似伝送路部により、歪み要因となる各歪補償対象機器用の誤差ベクトルを求め、非線形特性を含むにも関わらずそれを一括して理想信号点に加算するため、疑似伝送路部における電力増幅器（上記例ではＴＷＴＡ４６）への入力電力と実伝送路（上記例では実衛星２内の衛星中継器）における電力増幅器（上記例ではＴＷＴＡ２２）への入力電力との間に差が出てしまうことがある。そのため、対応する電力増幅器の動作点が異なることで、実伝送路での誤差と疑似伝送路部において想定していた誤差が完全には一致せず、実伝送路を通過後の信号点と理想信号点とのずれの発生につながり（図６参照）、結果として所要Ｃ／Ｎの劣化要因となる。
【００１８】
本発明の目的は、上述の問題に鑑み、歪補償における電力増幅器の非線形特性の影響を抑えつつ、送信装置側で衛星中継器等による歪を補償することにより、受信装置側での信号点配置のずれ幅を小さくし、より所要Ｃ／Ｎ劣化の小さいデジタル信号の送信装置を提供することにある。
【課題を解決するための手段】
【００１９】
本発明は、送信装置側で、送信するデジタル信号（所定の符号化を施した変調前の信号）に対して、所定の変調方式毎に理想信号点にマッピングした後、疑似伝送路部により実伝送路上の歪を補償するよう構成する際に、歪要因を持つ実伝送路上の複数の歪補償対象機器の各々に対応する疑似構成機器について、実伝送路で信号が通過する並びとは逆の順番で信号を通過させるよう構成する。このように、各疑似構成機器の歪補償処理を順次行うことによって、疑似伝送路部における電力増幅器の動作点と実伝送路における電力増幅器の動作点とを近づけることが可能となり、歪補償効果を改善する。これにより、所要Ｃ／Ｎの劣化を改善することが期待できる。
【００２０】
即ち、本発明による送信装置は、所定の実伝送路を介して受信装置に向けてデジタル信号を送信するために、該デジタル信号を所定の変調方式で変調する送信装置であって、実伝送路上の予め定めた複数の歪補償対象機器の入出力特性についてそれぞれ近似した入出力特性を有し、当該複数の歪補償対象機器の接続順とはそれぞれ逆の順序で縦属接続関係にある複数の疑似構成機器と、当該複数の疑似構成機器の各々における通過後の信号点と通過前の信号点との差分をそれぞれ誤差ベクトルとして求め、当該デジタル信号の理想信号点に対し当該逆の順序で縦属接続関係にある複数の疑似構成機器の順に順次、前記誤差ベクトルの逆ベクトルを加算することにより、当該逆の順序で縦属接続関係にある複数の疑似構成機器の順にそれぞれ歪補償した信号点に変換するベクトル演算手段と、当該複数の疑似構成機器ごとに当該逆ベクトルを加算するタイミングを調整するタイミング調整手段と、当該歪補償した信号点のデジタル信号を直交変調する直交変調手段と、を備えることを特徴とする。
【００２１】
また、本発明による送信装置において、前記複数の歪補償対象機器は、当該入出力特性に関して１以上の非線形特性を示す機器と１以上のフィルタ特性を示す機器とを含むことを特徴とする。
【００２２】
また、本発明による送信装置において、前記複数の歪補償対象機器は、既知の入出力特性を有する中継器、電気機器、光学機器、又はこれらの組み合わせを含むことを特徴とする。
【００２３】
また、本発明による送信装置において、前記所定の変調方式は、ＡＳＫ、ＰＳＫ、若しくはＡＰＳＫを含むことを特徴とする。
【発明の効果】
【００２４】
本発明によれば、とりわけ実伝送路に非線形歪が含まれる場合や非線形歪の影響に弱い多値振幅位相変調のときに、所要Ｃ／Ｎの劣化を大きく改善する効果を奏する。
【図面の簡単な説明】
【００２５】
【図１】本発明による一実施例の送信装置の概略構成を示すブロック図である。
【図２】本発明による一実施例の送信装置におけるベクトル演算を示す図である。
【図３】衛星放送における衛星中継器を用いた伝送システムの構成を示すブロック図である。
【図４】実衛星の進行波管増幅器（ＴＷＴＡ）の無変調波信号におけるＡＭ／ＡＭ及びＡＭ／ＰＭ特性を示す図である。
【図５】従来の送信装置の概略構成を示すブロック図である。
【図６】従来の送信装置における歪補償を用いた場合の信号点遷移を示す図である。
【発明を実施するための形態】
【００２６】
本発明による一実施例の送信装置を説明する。尚、各図面において、同様な構成機器には同一の参照番号を付して説明する。
【００２７】
図１は、本発明による一実施例の送信装置１の概略構成を示すブロック図である。尚、図１の送信装置１は本発明による送信装置が備える変調器に係る構成のみを図示している。この送信装置１は、各種規格に準拠した一般化した送信装置である。本実施例の送信装置１は、図３に示す実衛星２における衛星中継器を介する伝送システムに適用可能な送信装置であり、既存の放送衛星に対して放送波信号を送信することができる。従って、本実施例の送信装置１は、実衛星２内の衛星中継器を介して受信装置３‐１〜３‐Ｎに向けてデジタル信号を送信するために、デジタル信号を所定の変調方式で変調する送信装置として構成される。
【００２８】
図１に示すように、本実施例の送信装置１は、送信するデジタル信号（所定の符号化を施した変調前の信号）に対して、シリアルのビット列をパラレルに変換するシリアル／パラレル変換（Ｓ／Ｐ）部１１と、所定の変調方式毎にマッピングするマッピング部１２と、本発明に係る歪補償部５と、直交変調を施す直交変調部１３とを備える。ここで、シリアル／パラレル変換（Ｓ／Ｐ）部１１、マッピング部１２、及び直交変調部１３は、図５に示した従来の送信装置１のものと同様に機能する。即ち、図１に示す本実施例の送信装置１は、図５に示す従来の送信装置１と比較して、歪補償部４の代わりに、これとは構成の異なる歪補償部５が設けられている点で相違する。
【００２９】
歪補償部５は、出力マルチプレクサ（ＯＭＵＸ）フィルタ用の歪補償部５１と、進行波管増幅器（ＴＷＴＡ）用の歪補償部５２と、入力マルチプレクサ（ＩＭＵＸ）フィルタ用の歪補償部５３とを備え、図３に示す実衛星２の衛星中継器に搭載されるＩＭＵＸフィルタ２１、ＴＷＴＡ２２及びＯＭＵＸフィルタ２３を歪補償対象機器とし、これらの接続順序と逆の順序で各歪補償部５１，５２，５３が接続されている。
【００３０】
出力マルチプレクサ（ＯＭＵＸ）フィルタ用の歪補償部５１は、遅延部５１１と、第１ベクトル加算部５１２と、第２ベクトル加算部５１３と、図３に示す実衛星２の衛星中継器に搭載されるＯＭＵＸフィルタ２３の位相及び振幅の周波数特性（総括して、フィルタ特性とも称する）に近似した入出力特性を有する、出力マルチプレクサ（ＯＭＵＸ）フィルタ５１４と、を備える。
【００３１】
進行波管増幅器（ＴＷＴＡ）用の歪補償部５２は、遅延部５２１と、第１ベクトル加算部５２２と、第２ベクトル加算部５２３と、図３に示す実衛星２の衛星中継器に搭載されるＴＷＴＡ２２のＡＭ／ＡＭ特性及びＡＭ／ＰＭ特性に近似した入出力特性を有する、進行波管増幅器（ＴＷＴＡ）５２４と、を備える。
【００３２】
入力マルチプレクサ（ＩＭＵＸ）フィルタ用の歪補償部５３は、遅延部５３１と、第１ベクトル加算部５３２と、第２ベクトル加算部５３３と、図３に示す実衛星２の衛星中継器に搭載されるＩＭＵＸフィルタ２１の位相及び振幅の周波数特性（即ち、フィルタ特性）に近似した入出力特性を有する、入力マルチプレクサ（ＩＭＵＸ）フィルタ５３４と、を備える。
【００３３】
ＯＭＵＸフィルタ５１４は、マッピング部１２から入力される理想信号点のデジタル信号を、実衛星２のＯＭＵＸフィルタ２３を通過後のＩＱ信号点推定値に変換して送出する。
【００３４】
第１ベクトル加算部５１２は、ＯＭＵＸフィルタ５１４の出力の信号点と理想信号点とのずれをＯＭＵＸフィルタ用の誤差ベクトルとしてシンボルごとに生成する。
【００３５】
遅延部５１１は、マッピング部１２による信号点のマッピング後の信号点を、第１ベクトル加算部５１２による誤差ベクトルで歪補償するために、タイミング調整する。従って、遅延部５１１は、ＯＭＵＸフィルタ部５１４によって生じる遅延量Ｄ１と同一の遅延量でタイミング調整するように機能する。
【００３６】
第２ベクトル加算部５１３は、マッピング部１２による信号点のマッピング後の信号点を、第１ベクトル加算部５１２によるＯＭＵＸフィルタ用の誤差ベクトルで歪補償した信号点に変換しＴＷＴＡ用の歪補償部５２に送出する。
【００３７】
ＴＷＴＡ５２４は、ＯＭＵＸフィルタ用の歪補償部５１から入力されるＯＭＵＸフィルタ用の誤差ベクトルで歪補償した信号点を、実衛星２のＴＷＴＡ２２を通過後のＩＱ信号点推定値に変換して送出する。
【００３８】
第１ベクトル加算部５２２は、ＴＷＴＡ５２４の出力の信号点とＯＭＵＸフィルタ用の歪補償部５１から出力される信号点とのずれをＴＷＴＡ用の誤差ベクトルとしてシンボルごとに生成する。
【００３９】
遅延部５２１は、ＯＭＵＸフィルタ５１４による誤差ベクトルで補償した信号点を、第１ベクトル加算部５２２による誤差ベクトルで更に歪補償するために、タイミング調整する。従って、遅延部５２１は、ＴＷＴＡ部５２４によって生じる遅延量Ｄ２と同一の遅延量でタイミング調整するように機能する。
【００４０】
第２ベクトル加算部５２３は、ＯＭＵＸフィルタ５１４による誤差ベクトルで補償した信号点を、第１ベクトル加算部５２２による誤差ベクトルで補償した信号点に変換しＩＭＵＸフィルタ補償部５３に送出する。
【００４１】
ＩＭＵＸフィルタ部５３４は、ＴＷＴＡ用の歪補償部５２から入力されるＴＷＴＡ用の誤差ベクトルで補償した信号点を、実衛星２のＩＭＵＸフィルタ２１を通過後のＩＱ信号点推定値に変換して送出する。
【００４２】
第１ベクトル加算部５３２は、ＩＭＵＸフィルタ５３４の出力の信号点とＴＷＴＡ用の歪補償部５２から出力される信号点とのずれをＩＭＵＸフィルタ用の誤差ベクトルとしてシンボルごとに生成する。
【００４３】
遅延部５３１は、ＴＷＴＡ５２４の誤差ベクトルで補償した信号点を、第１ベクトル加算部５３３による誤差ベクトルで更に補償するために、タイミング調整する。従って、遅延部５３１は、ＩＭＵＸフィルタ５３４によって生じる遅延量Ｄ３と同一の遅延量でタイミング調整するように機能する。
【００４４】
第２ベクトル加算部５３３は、ＴＷＴＡ５２４の誤差ベクトルで補償した信号点を、第１ベクトル加算部５３２による誤差ベクトルで補償した信号点に変換し直交変調部１３に送出する。
【００４５】
直交変調部１３は、ＩＭＵＸフィルタ用の歪補償部５３によって歪補償した信号点のデジタル信号を直交変調する。ここで云う所定の変調方式には、π／２シフトＢＰＳＫを含むＢＰＳＫ、π／４シフトＱＰＳＫを含むＱＰＳＫ、８ＰＳＫ、１６ＡＰＳＫ若しくは３２ＡＰＳＫを含む。
【００４６】
図２は、本実施例の送信装置１における歪補償によるＩＱ信号点の遷移を示す図である。図２に示すように、マッピング部１２によるマッピング後の信号点（同図に示すＳ１）は理想信号点に割り当てられ、実伝送路は逆順でＯＭＵＸフィルタ５１４、ＴＷＴＡ５２４、及びＩＭＵＸフィルタ５３４の各疑似構成機器よりなる疑似伝送路部を通過させる際に、各疑似構成機器の入出力の度に誤差ベクトルを求めて歪補償し信号点を遷移させる（同図に示すＳ２〜Ｓ６）。そして、最終的に当該疑似伝送路部を経て歪補償を行った信号点が得られる（同図に示すＳ７）。この歪補償後の信号点座標で直交変調部１３により直交変調した変調波信号は、実衛星２内の衛星中継器におけるＩＭＵＸフィルタ２１、ＴＷＴＡ２２、及びＯＭＵＸフィルタ２３を通過すると（同図に示すＳ８〜Ｓ１０）、図５に示した従来の送信装置１による歪補償よりも、当該理想信号点により近づけることができる。
【００４７】
このように、歪みの原因となる複数の歪補償対象機器に対しそれぞれの信号が通過する順番と逆に歪補償を行うことにより、特に、フィルタ特性を持つＩＭＵＸフィルタ２１及びＯＭＵＸフィルタ２３と、非線形特性を持つＴＷＴＡ２２の動作点について、その実衛星２内の実伝送路（衛星中継器）に対する、歪補償部５内の疑似伝送路部（ＯＭＵＸフィルタ５１４、ＴＷＴＡ５２４、及びＩＭＵＸフィルタ５３４）のずれをより小さくすることができる。
【００４８】
尚、本実施例の歪補償部５における、ＯＭＵＸフィルタ用の歪補償部５１、ＴＷＴＡフィルタ用の歪補償部５２、及びＩＭＵＸフィルタ用の歪補償部５３にそれぞれ備えられるＯＭＵＸフィルタ５１４、ＴＷＴＡ５２４、及びＩＭＵＸフィルタ５３４は、実衛星２内の衛星中継器の各歪補償対象機器を模擬したものであり、本願明細書中で云う「近似した」入出力特性とは、厳密に実衛星２内の各歪補償対象機器の入出力特性に対する同一性が要求されるものではない。
【００４９】
従って、ＩＭＵＸフィルタ２１、ＴＷＴＡ２２、及びＯＭＵＸフィルタ２３と同等の機能を有する限り、任意の態様で構成することができ、例えばＴＷＴＡ２２を用いる代わりに対応するデジタル値の信号を増幅変換するルックアップテーブルを格納したメモリで構成することもできる。また、ＩＭＵＸフィルタ２１及びＯＭＵＸフィルタ２３はデジタルフィルタで構成することもできる。
【００５０】
また、上述の例では、歪補償対象とする機器が、ＩＭＵＸフィルタ２１、ＴＷＴＡ２２、及びＯＭＵＸフィルタ２３という明確に区分された構成となっているが、たとえば、ＩＭＵＸフィルタが実際には複数のフィルタで構成されたものであっても、一体として性能が規定できるものであれば、１つの疑似構成機器として対応することが可能である。また伝送性能に与える影響の軽微な歪補償対象機器については無視し、影響の大きなものについてのみ疑似構成機器を構成することも可能である。また、歪補償対象機器は、上述した電気的なフィルタと増幅器の組み合わせた中継器以外の機器でもよく、例えば、既知の入出力特性を有する電気機器、光学機器、又はこれらの組み合わせであっても同様の補償効果が期待できる。
【００５１】
上述の実施例は、衛星デジタル放送に適用した場合を代表的な例として説明したが、同様にそれ以外の伝送路にも適用が可能である。
【産業上の利用可能性】
【００５２】
本発明によれば、伝送路歪みを好適に低減させることができるので、非線形歪補償装置及びデジタル変調装置などの専用化した装置としても構成でき、伝送歪を有する伝送路を介するデジタル信号の信号処理の用途に有用である。
【符号の説明】
【００５３】
１  送信装置
１１  シリアル／パラレル（Ｓ／Ｐ）変換部
１２  マッピング部
１３  直交変調部
２  実衛星
２１  入力マルチプレクサ（ＩＭＵＸ）フィルタ
２２  進行波管増幅器（ＴＷＴＡ）
２３  出力マルチプレクサ（ＯＭＵＸ）フィルタ
３‐１〜３‐Ｎ  受信装置
４  歪補償部
４１  疑似伝送路部
４２  遅延部
４３  第１ベクトル加算部
４４  第２ベクトル加算部
４５  入力マルチプレクサ（ＩＭＵＸ）フィルタ
４６  進行波管増幅器（ＴＷＴＡ）
４７  出力マルチプレクサ（ＯＭＵＸ）フィルタ
５  歪補償部
５１  ＯＭＵＸフィルタ用の歪補償部
５１１  遅延部
５１２  第１ベクトル加算部
５１３  第２ベクトル加算部
５１４  ＯＭＵＸフィルタ
５２  ＴＷＴＡ用の歪補償部
５２１  遅延部
５２２  第１ベクトル加算部
５２３  第２ベクトル加算部
５２４  ＴＷＴＡ
５３  ＩＭＵＸフィルタ用の歪補償部
５３１  遅延部
５３２  第１ベクトル加算部
５３３  第２ベクトル加算部
５３４  ＩＭＵＸフィルタ
【図１】
0006646382.tif 000002
【図２】
0006646382.tif 000003
【図３】
0006646382.tif 000004
【図４】
0006646382.tif 000005
【図５】
0006646382.tif 000006
【図６】
0006646382.tif 000007